(57)【要約】【課題】本考案は、構造が簡単で使用に便利であり、また、使用者の好みに応じて飲料を飲む方式を自由に変えることが可能な熱冷飲料用容器を提供する。【解決手段】内容器と外容器によって構成する。内容器は、外容器の内部に緊密に組み合わされる。それにより、内容器外部と外容器の内面の間に容室空間が形成され、好みの冷熱媒介物、例えば、ピュアウォーター、烏龍茶、酒、果物ジュース、愛玉、氷、お湯等を充填し、それを凍らせて冰凍層を形成させると、使用者は、内容器内部に飲料を入れることで、冷えた元の味の飲料を飲むことができる。或いは、内容器と外容器を分離させ、冰凍層に内容器の形状をした空間を形成させ、飲料を冰凍層内に入れることで、使用者は、冰凍層と混ぜられた元の味の或いは味付けされた飲料を飲むことができる。【選択図】図７
0003163283.tif 000002
【実用新案登録請求の範囲】
【請求項１】
内容器と、外容器とによって構成する熱冷飲料用容器において、
内容器と外容器は着脱可能に相互に組み合わされ、その内容器と外容器の間には容室空間を形成し、容室空間内には冷熱媒介物が充填されることを特徴とする熱冷飲料用容器。
【請求項２】
内容器と、外容器とによって構成する熱冷飲料用容器において、
内容器と外容器は着脱可能に相互に組み合わされ、その内容器と外容器の間には容室空間を形成し、容室空間内には冷熱媒介物が充填され、冷熱媒介物は凍らされて冰凍層を形成し、それにより、使用者は飲料を内容器に入れて冷えた元の味の飲料を飲むことができ、或いは、内容器と外容器を分離させることで冰凍層は内容器の形状をもつ空間を形成し、飲料を冰凍層内に入れると、冰凍層と混ぜ合わされた元の味の或いは味付けされた飲料を飲むことができるようになることを特徴とする、熱冷飲料用容器。
【請求項３】
内容器の上方は広がっており、その口縁部には唇状蓋辺が設けられ、唇状蓋辺の内面と内容器の徐々に広がっている拡張部は相互に連結して充填唇状縁を形成し、外容器の口縁部は内容器の充填唇状縁のサイズに対応して設けられ、その外縁には辺体が設けられ、内容器と外容器を相互に組み合わせると、充填唇状縁は外容器の口縁部内にはめ込まれて内容器と外容器の間は緊密に連結され、また、唇状蓋辺と辺体を分離させると、内容器は外容器内から取り出されることを特徴とする、請求項１または請求項２に記載の熱冷飲料用容器。
【請求項４】
内容器と外容器の口縁部或いは連結箇所の間の連結或いは分離は、ねじ段を用いた螺合方式によって行われることを特徴とする、請求項１または請求項２に記載の熱冷飲料用容器。
【請求項５】
内容器と外容器は一体成形によってなり、内容器と外容器の間は容室空間を形成し、外容器の底部は開口部を有し、外容器の底部の開口部の口縁部内にはねじ山が設けられ、外容器の底部には、外容器の内壁のサイズに対応しているとともに底部にねじ山を有している内カップが取り付けられ、内カップのねじ山と外容器の底部口縁部のねじ山を嵌め合わせることで、内カップは外容器に螺合されて、容室空間は密閉されることを特徴とする、請求項１または請求項２に記載の熱冷飲料用容器。
【請求項６】
内容器と外容器は逆円錐形を呈しており、内容器の外壁の頂縁は充填唇状縁を形成し、外容器は、内容器より大きなサイズと内容器より緩いテーパーを備えており、外容器の口縁部は、内容器の充填唇状縁とほとんど同じサイズをもち、それにより、内容器を外容器の内部に組み合わせた時、充填唇状縁は外容器の口縁部内にはめ込まれて内容器と外容器の間は連結され、また、複数の内容器と外容器を重ねて組み合わせ、一つずつ取り出して使用することもできることを特徴とする、請求項１または請求項２に記載の熱冷飲料用容器。
【請求項７】
内容器と外容器の連結或いは分離方法、及び、内容器と外容器の間に形成される容室空間のサイズは、内容器と外容器の形状と大きさによって決められることを特徴とする、請求項１または請求項２に記載の熱冷飲料用容器。
【考案の詳細な説明】
【技術分野】
【０００１】
本考案は熱冷飲料用容器に関し、特に、内容器と外容器を組み合わせた間に形成された容室空間内に、好みの冷熱媒介物、例えば、ピュアウォーター、烏龍茶、酒、果物ジュース、愛玉、氷、お湯等を入れ、それを冷凍して凍らせた後、使用者は、好みに応じて、氷を隔てた内容器に飲料を入れて飲むことや、内容器を冰凍層から分離し、飲料を冰凍層内に直接入れ、混ぜ合わされた飲料を飲むことや、或いは、内容器と外容器を組み合わせた間に形成された容室空間内にお湯を入れることで、内容器内の熱い飲料を保温することができ、構造が簡単で使用に便利であり、また、使用者の好みに応じて飲料を飲む方式を自由に変えることが可能な熱冷飲料用容器に関する。
【背景技術】
【０００２】
従来の熱冷飲料用容器は、例えば、台湾特許第３６９８７５号「保冷氷カップの改良構造」に開示されている。「保冷氷カップの改良構造」の保冷氷カップは、内カップと、ストロー体と、外カップとによって構成し、内カップは外カップ内にはめ込まれ、その間は空間を形成し、その中に保冷媒介物を充填し、内カップの底側にはストロー体が連通させて設けられている。ストロー体は内カップと外カップが形成する空間内をぐるぐる回りながら通り、カップの外に伸出する。以上の構造により、飲料をストロー体で吸いだす時、ストロー体と保冷媒介物は常に接触するため、飲料の冷たさを保持したり、或いは飲料を急速に冷やしたりする目的を達することができる。
【０００３】
しかしながら、この従来の氷カップを使用することで、冷たさの保持や急速に冷やす目的は達成することができるものの、それに使用される保冷媒介物は液体の冷凍化学液であるため、単に区分け機能を提供し飲料を冷やして飲むことしかできず、飲料と凍らせた層を直接接触させるというもう一つの使用方法を提供することができない。また、その機能上、カップ内には予め保冷媒介物が置かれているため、冷たさを保持したり急速に冷やしたりする用途に限定され、その他の用途で使用することが全くできない。さらに、液体の冷凍化学液が外に漏れるのを防ぐために、その製造上、適切な材質及び多くの金具を使用しなければならないため、製造コストがかかる上、構造も複雑である。
【先行技術文献】
【特許文献】
【０００４】
【特許文献１】台湾特許第３６９８７５号明細書
【考案の概要】
【考案が解決しようとする課題】
【０００５】
上述の問題点に鑑み、本考案は、構造が簡単で使用に便利であり、また、使用者の好みに応じて飲料を飲む方式を自由に変えることが可能な熱冷飲料用容器を提供することを目的とする。
【課題を解決するための手段】
【０００６】
本考案の熱冷飲料用容器は、内容器と、外容器とによって構成する。内容器と外容器は着脱可能に相互に組み合わされ、その内容器と外容器の間には容室空間を形成し、容室空間内には冷熱媒介物が充填される
【図面の簡単な説明】
【０００７】
【図１】本考案の実施例１の構造を示す斜視図である。
【図２】本考案の実施例１の組み合わせを示す断面図１である。
【図３】本考案の実施例１の組み合わせを示す断面図２である。
【図４】本考案の実施例１の組み合わせを示す断面図３である。
【図５】本考案の実施例１の容器蓋と内容器と外容器を分離させた状態を示す断面図である。
【図６】本考案の実施例２の組み合わせを示す断面図１である。
【図７】本考案の実施例２の組み合わせを示す断面図２である。
【図８】本考案の実施例２の別の実施形態を示す断面図である。
【図９】本考案の実施例３の組み合わせを示す断面図１である。
【図１０】本考案の実施例３の組み合わせを示す断面図２である。
【図１１】本考案の実施例４の組み合わせを示す断面図１である。
【図１２】本考案の実施例４の組み合わせを示す断面図２である。
【図１３】本考案の実施例５の組み合わせを示す断面図１である。
【図１４】本考案の実施例５の組み合わせを示す断面図２である。
【図１５】本考案の実施例６の組み合わせを示す断面図１である。
【図１６】本考案の実施例６の組み合わせを示す断面図２である。
【図１７】本考案の実施例７の組み合わせを示す断面図１である。
【図１８】本考案の実施例７の組み合わせを示す断面図２である。
【図１９】本考案の実施例７の別の実施形態を示す断面図である。
【図２０】本考案の実施例８の組み合わせを示す断面図である。
【図２１】本考案の実施例８の別の実施形態を示す断面図である。
【考案を実施するための形態】
【０００８】
ここで、本考案の構造上の特徴について、好ましい実施例を挙げ、図を参照しながら以下に説明を行う。
【０００９】
（実施例１）
まず、図１から図５を参照する。本考案は、容器蓋１と、内容器２と、外容器３とによって構成する。その内、容器蓋１は従来のものと同様であり、ここでは記載を省略する。内容器２は上方がやや広がっている容器体であり、その頂縁には唇状蓋辺２１が設けられている。唇状蓋辺２１の内面と容器体上方の徐々に広がっている拡張部は相互に連結され、適切なサイズをもつ充填唇状縁２２を形成する。また、外容器３は、内容器２より大きく、その口縁部は内容器２上方の充填唇状縁２２とほとんど同じサイズをもち、内容器２と外容器３は組み合わせることができる。しかも、充填唇状縁２２を外容器３の口縁部内に嵌め合わせることで、内容器２と外容器３の間を緊密に組み合わせることができ、その間には容室空間が形成される。また、外容器３の口縁部は辺体３１を備え、辺体３１は内容器２の唇状蓋辺２１に対応するように設けられ、それによりその間に位置決めの補助効果が生じる。外容器３内部に、使用者が好みの冷熱媒介物４（例えば、ピュアウォーター、烏龍茶、酒、果物ジュース、愛玉、氷、お湯等）を適量入れ、さらに、内容器２を外容器３内に緊密に組み合わせると、その間に形成された容室空間内には、好みの冷熱媒介物４が充満する。そして、これを冷凍庫や冷蔵庫に入れて凍らせると、図３に示すような冰凍層４’が形成される。そして、使用者がこれを冷凍庫や冷蔵庫から取り出した後、図４に示すように容器蓋１を直接開けて、飲料５（例えば、酒、牛乳、果物ジュース、コーヒー、緑豆スープ、八宝粥等）を、内容器２内に入れる。すると、冰凍層４’の冷たい温度が内容器２に伝わり、飲料５の冷たい状態を保持し、使用者は冷えた元の味の飲料５を飲むことができる。その他、使用者が飲料５と冰凍層４’の媒介物を混ぜて飲みたい時は、内容器２頂縁の唇状蓋辺２１に対して上方向に少し力をいれるだけで、内容器２は外容器３内から完全に外れ、冰凍層４’は外に露出し、内容器２の形状と同じ充填空間が形成される。そして、使用者が飲料５をその充填空間に注ぐと、図５に示すように、飲料５と冰凍層４’が直接接触し、飲料５と冰凍層４’が混ざった元の味の或いは味付けされた飲料を飲むことができる。以上により、使用者の好みに合わせて自由に飲む飲料を変える方法を達成することができる。
【００１０】
（実施例２）
図６、図７は本考案の実施例２を示している。図から分かるように、本考案の内容器２は、唇状蓋辺２１が下へ垂直に延伸して内ねじ部を有するねじ辺２１１を形成し、それに合わせるように外容器３の外部上方には外ねじ部３２が設けられる。外ねじ部３２と内容器２のねじ辺２１１を相互に回転させ嵌め合わせることで、内容器２と外容器３を相互に螺合し、その後、冷凍を行い、内容器２と外容器３の間に冰凍層４’を形成させた後、図６に示すように、使用者は飲料５を内容器２内に入れて飲むことができる。或いは、まず内容器２に少し力を入れて回転させ、内容器２のねじ辺２１１を外容器３の外ねじ部３２から取り外すと、冰凍層４’は、内容器２と同じ形状の充填空間を形成し、飲料５を入れると、図７に示すように、使用者は、飲料５と冰凍層４’を混ぜ合わせた元の味の或いは味付けされた飲料を飲むことができる。また、このねじ方式で組合せを行う実施例は、内容器２と外容器３の間のねじ部を、図８に示すような構造にすることもできる。即ち、内容器２外壁の上方に外ねじ部２３を設け、外容器３の内壁の頂縁箇所には外ねじ部２３と対応する内ねじ部３８を設け、さらに外ねじ部２３の頂端には摘み部２３１を設ける。以上の構造により、内容器２と外容器３の間は、上記と同様に、回転させて相互に組み合わせることも、回転させて相互に取り外すこともでき、前述した例と完全に同じ使用方法と目的を得ることができる。
【００１１】
（実施例３）
図９、図１０は本考案の実施例３を示している。図から分かるように、本考案の外容器３内面の適切な位置には、複数の環状ねじ部或いは各種凹凸状部或いは複数の鋸歯状段部３３が設けられ、外容器３の頂面の環状辺縁には傾斜面３４が設けられるとともに、内容器２の唇状蓋辺２１は傾斜面３４にぴったり当接し、それにより内容器２は外容器３の内部に緊密に組み合わされ、図９に示すよう飲料５を充填すると、使用者は冷えた元の味の飲料５を飲むことができる。また、使用者が冰凍層４’と混ぜ合わせた飲料を飲みたい場合は、外容器３の環状辺縁の頂縁の部分に少し力を加えると、内容器２の唇状蓋辺２１は、外容器３の傾斜面３４を上に向かってスライドし、その一方で冰凍層４’は外容器３内面上の複数の環状ねじ部或いは各種凹凸状部或いは複数の鋸歯状段部３３の制限を受けて内容器２と一緒に上に浮き上がることができず、内容器２を冰凍層４’からスムーズに分離させることができ、図１０に示すように使用者は飲料５を内容器２の形状を呈する冰凍層４’内にいれると、冰凍層４’と混ぜ合わせた元の味の或いは味付けされた飲料を飲むことができる。
【００１２】
（実施例４）
図１１、図１２は本考案の実施例４を示している。図から分かるように、本考案の内容器２は、逆円錐形を呈する容器体であり、唇状蓋辺２１の内面と外壁頂縁の接続箇所は、適切なサイズの充填唇状縁２２を形成する。また、外容器３も、内容器２と同様に逆円錐形体を呈しており、内容器２より大きなサイズと内容器２よりわずかに緩いテーパーを備えており、その口縁部は、内容器２の充填唇状縁２２とほとんど同じサイズをもち、それにより、内容器２を外容器３の内部に組み合わせた時、充填唇状縁２２は外容器３の口縁部内にぴったりとはめ込まれ、唇状蓋辺２１の内面は外容器３外壁の上方に当接することで、内容器２と外容器３の間は連結される。内容器２と外容器３の間の事前に確保された容室空間内には、個人が好きな適量の冷熱媒介物４（例えば、ピュアウォーター、烏龍茶、酒、果物ジュース、愛玉、氷、お湯等）を充填し、図１１に示すように冷凍し凍らせ冰凍層４’を形成させることで、使用者は内容器２内部に充填された冷えた元の味の飲料５を飲むことができる。また、使用者が飲料５と冰凍層４’の媒介物を混ぜ合わせて飲みたい場合は、外容器３の外壁上方に対して内側に押すように少し力を入れるだけで、内容器２と冰凍層４’の間は押される力を受けて緩み、さらに上方に力を入れると内容器２は簡単に冰凍層４’から外れる。そして、内容器２を図１２に示すように外容器３の内部から取り出し、使用者が飲料５を冰凍層４’内に入れると、冰凍層４’と混ぜ合わされた元の味の或いは味付けされた飲料を飲むことができる。また、本実施例は内容器２と外容器３を逆円錐形体の形状で設計しているため、適切な数量の内容器２と外容器３を重ねて組み合わせることができ、その間に形成された容室空間内には、個人が好きな冷熱媒介物４をそれぞれ充填し、さらに凍らせると複数層の冰凍層４’が形成され、使用者は抜き取る方式によって、冷えた元の味の飲料５や、冰凍層４’と混ぜ合わされた元の味の或いは味付けされた飲料を一つ一つ飲むことができる。
【００１３】
（実施例５）
図１３、図１４は本考案の実施例５を示している。図から分かるように、本考案の内容器２の形状は、逆円錐形を呈しており、外容器３内面上方の適切な位置には係止環状辺縁３５が設けられ、それにより、内容器２と外容器２３を組み合わせた時、内容器２の外部が、外容器３の係止環状辺縁３５及びその頂部環状面３１１に係止されることによって、内容器２と外容器３は連結される。そして、冷凍を行うと図１３に示すように冰凍層４’が形成され、使用者は内容器２内部に充填された冷えた元の味の飲料５を飲むことができる。また、内容器２を外容器３内部から分離したい時は、外容器３は適切な材質からなるため、使用者が外容器３の頂部環状面３１１に近い外部を内側に押すように力を入れるだけで、内容器２上方は押された力を受けて緩み、さらに、図１４に示すように上方に力を入れて持ち上げると、内容器２はスムーズに冰凍層４’から外れる。そして、内容器２を外容器３の内部から取り出すと、使用者は飲料５を冰凍層４’に入れて飲むことができる。
【００１４】
（実施例６）
図１５、図１６は本考案の実施例６を示している。図から分かるように、本考案の内容器２の唇状蓋辺２１は下方向に垂直に延伸して適切な長さをもつ環状側辺２１２を形成し、環状側辺２１２の内面は環状凸ブロック或いは複数の丸凸ブロック２１６を備え、それに合わせて、外容器３の外部の適切な位置には環状凸体３６が設けられる。それにより、内容器２を外容器３内部に組み合わせる時、環状側辺２１２内面に設けられた環状凸ブロック或いは丸凸ブロック２１６は外容器３の環状凸体３６上方の適切な位置に当接して、内容器２と外容器３は緊密に連結されて重ねられる。そして、冷凍を行うと、図１５に示すように冰凍層４’が形成され、使用者は内容器２内部に充填された冷たい元の味の飲料５を飲むことができる。また、内容器２を外容器３内部から分離させたい時は、使用者が内容器２の環状凸ブロック或いは丸凸ブロック２１６を押すように力を入れるだけで、環状凸ブロック或いは丸凸ブロック２１６は押す力を受けて環状凸体３６に沿って上方にスライドし、さらに少し力を加えて上方に引っ張ると、内容器２はスムーズに冰凍層４’から外れる。そして、図１６に示すように内容器２を外容器３内部から取り出すと、使用者は、内容器２の形状を呈する冰凍層４’に飲料５を入れて飲むことができる。また、本実施例は、外容器３の形状を利用して、複数の外容器３を相互に組み合わせることで、冷凍して複数層の冰凍層４’を形成させた後、使用者は一層ずつ取り出して使用することができる。
【００１５】
（実施例７）
図１７、図１８は本考案の実施例７を示している。図から分かるように、本考案の内容器２の上方は延伸してポット蓋体２９を形成し、その適切な位置が延伸して形成された長い唇状蓋辺２４はポットの注ぎ口状を呈する。また、長い唇状蓋辺２４は、外容器３が備えるポット注ぎ口環状面３１３に当接するとともに、内容器２の短い唇状蓋辺２４１は外容器３の短環状面３７に当接し、それにより内容器２と外容器３は緊密に連結される。そして、冷凍を行うと、図１７に示すように冰凍層４’が形成され、使用者は内容器２内部に充填された冷たい元の味の飲料５を飲むことができる。また、使用者が、飲料５を冰凍層４’に直接混ぜて飲みたい場合は、内容器２のポット蓋体２９を上方に少し力を加えるだけで、内容器２は冰凍層４’から分離される。そして、図１８に示すように内容器２を外容器３の内部から取り出すと、使用者は内容器２の形状を呈する冰凍層４’内に飲料５を入れて飲むことができる。また、図１９に示すように、本実施例は、ねじで螺合する方式で内容器２と外容器３を組み合わせることができる。図に示すように、内容器２の外壁上方に外ねじ部２３’が設けられ、それと対応する外容器３の位置には内ねじ部３８’が設けられ、外ねじ部２３’と内ねじ部３８’の螺合によって、内容器２と外容器３を相互に組み合わせたり取り外したりすることができる。それにより、外容器３に保温機能をもたせ、内容器２の保温や保冷を行うことができる。
【００１６】
（実施例８）
図２０は本考案の実施例８を示している。図から分かるように、本考案の内容器２’と外容器３’は一体成形してなり、内容器２’と外容器３’の間は他の実施例と同様に容室空間を形成し、内容器２’と外容器３’の間の連結箇所は、先が尖り傾斜をもつ挟み口を形成する。また、外容器３’の上方にはポット蓋３ａとポット注ぎ口３ｂが設けられ、冷水ポットの形態をなす。さらに、その底部にはカップ取り付け口が設けられ、内カップ３０を下から上にむかってその中に取り付けることができ、また、カップ取り付け口の口縁の底部にはめねじ３’９が設けられる。さらに、内カップ３０は外容器３’の内壁のサイズに対応して設けられるとともに、適切な長さのカップ胴体をもつ。その底部の近くのカップ壁外縁にはおねじ３０１が設けられ、それにより内カップ３０を外容器３’底部から組み合わせ、おねじ３０１をカップ取り付け口縁部内のめねじ３’９にねじ込むことができる。それによって、内カップ３０は外容器３’の内部に螺合され、容室空間が密閉される。以上の構造により、内カップ３０内に充填された氷やお湯を利用して、内容器２’内に充填された飲料５を冷やしたり暖めたりすることができ、使用者は冷えている或いは温められている飲料５を飲むことができる。その他、本実施例の外容器３’上方のポット蓋３ａとポット注ぎ口３ｂは省略することができ、内容器２’頂部に開口部を有する容器口を形成させて、図２１に示すような、ビールのジョッキの形態をなすことができる。
【００１７】
上述の説明から分かるように、本考案は、内容器２を外容器３の内部に緊密に組み合わせることによって、その間に容室空間が形成され、その容室空間には、使用者が好きな冷熱媒介物４（例えば、ピュアウォーター、烏龍茶、酒、果物ジュース、愛玉、氷、お湯等）を充填しそれを凍らせて冰凍層４’を形成させることで、使用者は飲料５を内容器２内に入れ、冷たい元の味の飲料５を飲むことができる。或いは、内容器２を外容器３内から外して取り出し、冰凍層４’内に飲料５を直接入れることで、冰凍層４’が混ぜられた元の味の或いは味付けされた飲料を飲むことができる。その他、容室空間内にお湯を充填すると、内容器２内の飲料５を保温、蓄熱する効果が得られるため、本考案は冷熱氷容器の名に相応しい。また、本考案の内容器２と外容器３の形体は、その用途に応じて変化させ、例えば、冷水ポット、ビールのジョッキ、保温ボックス、盤状、お椀状、皿状、カップ状等の各種様々な物品を作ることができる。また、内容器２の外壁或いは外容器３の内面には、様々な模様、図柄、或いは各種の凹凸の特殊造形を彫りこむことができ、冰凍層４’に、その模様、図柄或いは造型を映し出させることができる。その他、本考案は、製造或いは使用上のニーズに応じて、内容器２と外容器３を相互に取り替えたり増設したりして、様々な内と外の組合せの形態をなすことができる。また、本考案の内容器２と外容器３の材質は、その形状、構造、或いは用途に応じて、ＰＰ、ＰＣ、ＰＳ、ＰＥ、ＰＶＣ、ＰＥＴ、ＰＬＡ、ＡＢＳ等の硬性、軟性、伸縮性、弾性をもつ各種プラスチック材質を用いることができるほか、鉄、ステンレス、アルミ、セラミック、ガラス、ポリスチレン、紙等の各種適用材質或いは保温材料を用いることもできる。そして、さらには、食べることのできる食材（例えば、チョコレート、クッキー、ポーピン等）を用いることもでき、内容器２と外容器３は様々な材質によって作ることができる。また、本考案の内容器２と外容器３は、その形状、構造、及び材質に応じて、洗う必要のない使い捨て式や、何度も繰り返して使用できる形態にすることができ、さらには、内容器２や外容器３外部の適切な位置には滑り止め機能、手提げ部、或いはストラップを設けることができ、使用者が手に持ったり携帯したりするのに便利である。
【００１８】
また、本考案は、前述したように飲料５を充填して保冷や保温がされている味付けされた飲料５を飲むことができる以外に、  盛り付けされた生ものや調理された料理に適用することで、それらを保冷、保温、鮮度維持する効果があり、適温の元の味の料理を食べることができる。この方法により、本考案の使用上の価値はさらに高まる。
【符号の説明】
【００１９】
１        容器蓋                                    
２、２’  内容器
２１      唇状蓋辺                                    
２１１    ねじ辺
２１２    環状側辺                                
２１６    環状凸ブロック或いは丸凸ブロック
２２      充填唇状縁                              
２３、２３’    外ねじ部
２３１    摘み部                                  
２４      長い唇状蓋辺
２４１    短い唇状蓋辺                        
２９      ポット蓋体
３、３’  外容器                              
３１      辺体
３２      外ねじ部                              
３３      鋸歯状段部
３４      傾斜面                                  
３５      係止環状辺縁
３６      環状凸体                                  
３１１    環状面
３１３    ポット注ぎ口環状面                            
３７      短環状面
３８、３８’    内ねじ部                      
３’９    めねじ
３０      内カップ                                      
３０１    おねじ
３ａ      ポット蓋                                      
３ｂ      ポット注ぎ口
４        冷熱媒介物                            
４’      冰凍層
５        飲料
【図１】
0003163283.tif 000003
【図２】
0003163283.tif 000004
【図３】
0003163283.tif 000005
【図４】
0003163283.tif 000006
【図５】
0003163283.tif 000007
【図６】
0003163283.tif 000008
【図７】
0003163283.tif 000009
【図８】
0003163283.tif 000010
【図９】
0003163283.tif 000011
【図１０】
0003163283.tif 000012
【図１１】
0003163283.tif 000013
【図１２】
0003163283.tif 000014
【図１３】
0003163283.tif 000015
【図１４】
0003163283.tif 000016
【図１５】
0003163283.tif 000017
【図１６】
0003163283.tif 000018
【図１７】
0003163283.tif 000019
【図１８】
0003163283.tif 000020
【図１９】
0003163283.tif 000021
【図２０】
0003163283.tif 000022
【図２１】
0003163283.tif 000023
【手続補正書】
【提出日】平成22年8月4日(2010.8.4)
【手続補正１】
【補正対象書類名】明細書
【補正対象項目名】００１６
【補正方法】変更
【補正の内容】
【００１６】
（実施例８）
図２０は本考案の実施例８を示している。図から分かるように、本考案の内容器２’と外容器３’は一体成形してなり、内容器２’と外容器３’の間は他の実施例と同様に容室空間を形成し、外容器３’の上方にはポット蓋３ａとポット注ぎ口３ｂが設けられ、冷水ポットの形態をなす。また、その底部にはカップ取り付け口が設けられ、内カップ３０を下から上にむかってその中に取り付けることができ、また、カップ取り付け口の口縁の底部にはめねじ３’９が設けられる。さらに、内カップ３０は外容器３’の内壁のサイズに対応して設けられるとともに、適切な長さのカップ胴体をもつ。その底部の近くのカップ壁外縁にはおねじ３０１が設けられ、それにより内カップ３０を外容器３’底部から組み合わせ、おねじ３０１をカップ取り付け口縁部内のめねじ３’９にねじ込むことができる。それによって、内カップ３０は外容器３’の内部に螺合され、容室空間が密閉される。以上の構造により、内カップ３０内に充填された氷やお湯を利用して、内容器２’内に充填された飲料５を冷やしたり暖めたりすることができ、使用者は冷えている或いは温められている飲料５を飲むことができる。その他、本実施例の外容器３’上方のポット蓋３ａとポット注ぎ口３ｂは省略することができ、内容器２’頂部に開口部を有する容器口を形成させて、図２１に示すような、ビールのジョッキの形態をなすことができる。また、本実施例の外容器３’内部に取り付けられた内カップ３０は、簡略化することができる。即ち、内カップ３０の胴体の部分を縮減し、カップの底部だけを残し、底蓋の形態をなすことができるし、或いは、おねじ３０１を省略し、蓋を詰め込む方式にすることができ、それにより、内容器２’と外容器３’の間の容室空間を露出させたり、密閉させたりすることができる。以上の構造により、外容器３’底部に設けられたカップ取り付け口から、氷や温かい液体・熱い液体を入れ、さらに、底蓋を、カップ取り付け口の口縁から回転させながら螺合して取り付けるか、或いは、詰め込んで取り付けて容室空間を密閉させることで、内容器２’内に充填された飲料５は、冷たさや温かさ・熱さを保持することができ、使用者に冷たさや暖かさ・熱さが保持された飲料５を飲ませるという目的を達成することができる。
【手続補正２】
【補正対象書類名】明細書
【補正対象項目名】００１７
【補正方法】変更
【補正の内容】
【００１７】
上述の説明から分かるように、本考案は、内容器２を外容器３の内部に緊密に組み合わせることによって、その間に容室空間が形成され、その容室空間には、使用者が好きな冷熱媒介物４（例えば、ピュアウォーター、烏龍茶、酒、果物ジュース、愛玉、氷、お湯等）を充填しそれを凍らせて冰凍層４’を形成させることで、使用者は飲料５を内容器２内に入れ、冷たい元の味の飲料５を飲むことができる。或いは、内容器２を外容器３内から外して取り出し、冰凍層４’内に飲料５を直接入れることで、冰凍層４’が混ぜられた元の味の或いは味付けされた飲料を飲むことができる。その他、容室空間内にお湯を充填すると、内容器２内の飲料５を保温、蓄熱する効果が得られるため、本考案は冷熱氷容器の名に相応しい。また、本考案の内容器２と外容器３の形体は、その用途に応じて変化させ、例えば、冷水ポット、ビールのジョッキ、保温ボックス、盤状、お椀状、皿状、カップ状等の各種様々な物品を作ることができる。また、内容器２の外壁或いは外容器３の内面には、様々な模様、図柄、或いは各種の凹凸の特殊造形を彫りこむことができ、冰凍層４’に、その模様、図柄或いは造型を映し出させることができる。その他、本考案は、製造或いは使用上のニーズに応じて、内容器２と外容器３を相互に取り替えたり増設したりして、様々な内と外の組合せの形態をなすことができる。また、本考案の内容器２と外容器３の材質は、その形状、構造、或いは用途に応じて、ＰＰ、ＰＣ、ＰＳ、ＰＥ、ＰＶＣ、ＰＥＴ、ＰＬＡ、ＡＢＳ等の硬性、軟性、伸縮性、弾性をもつ各種プラスチック材質を用いることができるほか、鉄、ステンレス、アルミ、セラミック、ガラス、ポリスチレン、紙等の各種適用材質或いは保温材料を用いることもできる。そして、さらには、食べることのできる食材（例えば、チョコレート、クッキー、ポーピン等）を用いることもでき、内容器２と外容器３は様々な材質によって作ることができる。また、本考案の内容器２或いは外容器３は、その形状、構造、及び材質に応じて、洗う必要のない使い捨て式や、何度も繰り返して使用できる形態にすることができ、さらには、内容器２や外容器３外部の適切な位置には滑り止め機能、手提げ部、或いはストラップを設けることができ、使用者が手に持ったり携帯したりするのに便利である。